(57)【特許請求の範囲】
【請求項１】
視聴画面上に表示される識別子によって表される文書をたどる方法であって、前記識別子の位置に無関係に、前記画面上の位置がナビゲーション・コマンドによって制御されるカーソルを表示する工程であって、前記カーソルが識別子の選択、及びスクロールの制御を同時に行う工程を備え、
前記文書は複数の群に分けられ、群それぞれは、前記群に属する前記文書の前記識別子を含む、スクロールする同心円状の複数のカルーセルのうちの１つによって表され、
前記同心円状の複数のカルーセルは、スクロールの方向を規定する、前記画面上の前記カーソルの位置の関数として、前記画面にわたってスクロールし、前記カルーセルの角速度は異なり、前記カーソルが識別子上に配置されると、前記方法は、コマンドの入力によって、関連した文書の起動を認可する前記識別子を強調表示する工程を備えることを特徴とする方法。
【請求項２】
請求項１記載の方法であって、前記文書は属性値によって群単位にランク付けされ、前記識別子は、他の群から区別するように少なくとも１つの共通のグラフィカル特徴を有する同じ群の文書に関連付けられることを特徴とする方法。
【請求項３】
請求項２記載の方法であって、同じ群の各識別子は同じグラフィカル特徴を有することを特徴とする方法。
【請求項４】
請求項1記載の方法であって、カルーセルの角速度が該カルーセルにおける識別子数によって変わってくることを特徴とする方法。
【請求項５】
請求項１、３又は４のうちの何れか一項に記載の方法であって、前記文書を群にランク付けするための属性の値は前記関連した文書におけるユーザの関心を表し、最大の関心値を有する文書の識別子は最も外側のカルーセルに存在することを特徴とする方法。
【請求項６】
請求項２乃至５の何れか一項に記載の方法であって、群の文書の数が所定数未満の場合、前記群の各文書は少なくとも２つのグラフィカル識別子に関連付けられることを特徴とする方法。
【請求項７】
請求項２乃至５の何れか一項に記載の方法であって、群の文書の数が所定数より大きい場合、前記群の少なくとも２つの文書が、同じグラフィカル識別子に関連付けられることを特徴とする方法。
【請求項８】
視聴画面上に表示される識別子によって表される文書をたどる電子機器であって、
前記文書を複数の群に分ける手段と、
前記識別子の位置に無関係に、前記画面上の位置がナビゲーション・コマンドによって制御されるカーソルを表示する手段であって、前記カーソルが識別子の選択、及びスクロールの制御を同時に行う手段と、
同心円状の複数のカルーセルを表示する手段と、
スクロールの方向及びスクロールの速度を規定する、前記画面上の前記カーソルの前記位置の関数として前記画面にわたって前記識別子をスクロールする手段であって、前記識別子は、前記同心円状の複数のカルーセルのうちの１つの上で描写される同じ群の前記文書と関連付けられ、前記同心円状のカルーセルは、前記画面にわたってスクロールし、種々の同心円状のカルーセルの角速度は異なる手段と、
識別子上に前記カーソルを配置し、コマンドの入力により、関連した文書の起動を認可する前記識別子を強調表示する手段と
を備えることを特徴とする電子機器。
【請求項９】
請求項８記載の電子機器であって、属性値によって文書群を作成する手段を備え、前記表示の手段は、共通のグラフィカル特徴を、同じ群の文書に関連した識別子に施すことを特徴とする電子機器。
【請求項１０】
請求項９記載の電子機器であって、前記表示の手段は最大の関心値を有する文書の識別子を最も外側のカルーセルにおいて描写し、前記群に前記文書をランク付けするための属性の値は、前記関連した文書におけるユーザの関心を表すことを特徴とする電子機器。
【請求項１１】
請求項９又は１０に記載の電子機器であって、前記表示の手段は、群の各文書に関連した少なくとも２つのグラフィカル識別子を、前記群の文書数が所定数よりも小さい場合に表示することを特徴とする電子機器。
【請求項１２】
請求項９乃至１１の何れか一項に記載の電子機器であって、前記表示の手段は、群の少なくとも２つの文書に関連したグラフィカル識別子を、前記群の文書数が所定数よりも大きい場合に表示することを特徴とする電子機器。
【発明の詳細な説明】
【技術分野】
【０００１】
本発明は、視聴画面上に表示される文書をたどる方法に関し、この方法を用いたユーザ・インタフェースを備えた受信器に関する。
【背景技術】
【０００２】
現在、数多くのユーザが、オーディオ文書又は視聴覚文書を再生する機器を家庭に有している。こうした文書は一般に、機器自体（例えば、ハード・ディスク）に、又は家庭の局所ネットワークに、さもなければ、インターネットなどの公衆ネットワークを介してアクセス可能なデータベースにディジタル形式で記憶されている。こうした文書は、ビデオ、オーディオ文書、さもなければ静止画像であり得る。こうした文書をアクセスするために、ユーザには、全文書群を確実に表示し、たどるインタフェースが利用可能であるものとして存在している。上記文書は、識別子を介して画面上に現れ、それによってユーザは、全アクセス可能文書群を通読することが可能になる。識別子は、メニューに組み入れられたリストに現れる。この識別子は、文書を表すタイトル、画像又は何れかの他の表示可能エレメントであり得る。画像の場合、これは、ビデオの抜粋、オーディオ文書用の、アーチストの写真、写真の一部等であり得る。いわゆる「グラフィカル」識別子は一般に、上記文書の作成者によって文書と関連付けられ、ユーザ自身によっても定義及び関連付けを行うことが可能である。
【０００３】
ユーザ・インタフェースは、ユーザが識別子間をたどり、容易に、サーチ対象のものを見つけ、それを選択することが可能なように識別子を提示することができなければならない。このナビゲーションによって、ユーザが、文書をブラウジングし、文書における関心を最終的に持つことも可能になる。ユーザは、文書を見つけた場合、これを選択し、動作を行う。情報を取得し、文書を読み（フィルムの場合、視て、音楽の場合、聴き）、これを廃棄し、購入し、又は借りる等。
【０００４】
文書を含むデータベース、及びユーザ・インタフェースを備えた再生機器を備えるシステムの単純な例は、PVR（「パーソナル・ビデオ・レコーダ」）から成る。PVRは、ハード・ディスク、表示手段及びリモコンを備えた機器である。こうした機器は特に、「ジャイレーション」と呼ばれるリモコンを用い得る。こうしたリモコンの特徴は、空間内の移動を信号に変換するようにジャイロスコープによって備えられるものである。マット上をコンピュータのマウスが移動することによって行われるように、ユーザは、自分のリモコンを上下左右に移動させることによって、カーソルを画面上で移動させる。ジャイレーション・リモコンは、特に、強調表示された識別子に対して動作を実行するために、通常のキーも有している。ユーザ・インタフェースによって、個々のコンピュータにより近い所に場合によってはある種々の機器によって、オーディオ・ライブラリ、写真ライブラリ又は混合ライブラリへのアクセスが可能になる。
【０００５】
日立による欧州特許第1107097号明細書には、情報エレメントを表すアイコン集合物を表示し、たどる方法が記載されている。アイコンはグラフィックで強調表示され、グラフィカル強調表示は、リモコン上にある回転式キーを利用することによってアイコン間を移動する。回転式キーによって、全表示アイコン群を回転させることも可能である。上記刊行物には、どのアイコンが強調表示されているか、及びカルーセルの回転の方向をユーザに向けて同時に示すことを可能にする単一の手段が教示されていない。
【０００６】
VIZIBLE.comによる国際公開第01/69367号明細書には、球の形態のユーザ・インタフェースが記載されており、球は、ウェブサイトなどを各ボックス・エレメント内に示すボックスの花綱で飾られている。上記環境はパソコンの環境であり、ユーザには、表示オブジェクトを指定することを可能にするカーソルを移動させることを可能にするマウスが利用可能なものとして存在している。上記刊行物は、カーソルの別の用途を教示するものでない。
【発明の開示】
【発明が解決しようとする課題】
【０００７】
本発明は、同時に魅力的かつ娯楽的に見えるように文書群をたどる新たな方法を提供する。
【課題を解決するための手段】
【０００８】
本発明は、視聴画面上に表示される識別子によって表される文書をたどる方法を目的とする。上記方法は、識別子の位置に無関係に、画面上の位置がナビゲーション・コマンドによって制御されるカーソルを表示する工程を備える。
【０００９】
識別子は、スクロールの方向を規定する、画面上のカーソルの位置の関数として、画面にわたってスクロールし、カーソルが識別子上に配置されると、上記方法は、コマンドの入力によって、関連した文書の起動を認可する識別子を強調表示する工程を備える。
【００１０】
このようにして、ユーザは、文書の識別子（例えば、圧縮画像（imagette））がスクロールすることが分かる。ユーザは、識別子の選択とスクロールの制御とを自分のリモコンを用いることによって同時に選択することが可能である。カーソルが識別子上にある場合、この識別子の強調表示によって、ユーザが、コマンドを発生させ、よって、動作（例えば、再生）を行う目的でこの文書を起動させることが可能であることがユーザに通知される。更に、カーソルの位置を制御することによって、ユーザは、スクロールの方向、並びに場合によってはその速度を完全に規定する。
【００１１】
第１の精緻化は、アクセス可能な文書が、属性値によって群単位でランク付けされることから成る。同じ群の文書に関連した識別子は、他の群と区別するような共通のグラフィカル特性を有している。このようにして、ユーザは、共通の特性（例えば、同じ話題）を有する文書をたどることが可能である。一精緻化によれば、スクロールは、カルーセルにおける識別子を描写するよう企図される。群は、同心円状のカルーセルによって表され、同じ群の識別子のグラフィカル特性は、カルーセルにそれが属することを規定する。カルーセルの描写によって、ユーザに対して魅力的な斬新さが提供されるが、それは、ユーザが回転させることが可能な店の展示ラックにおけるように文書が見えるからであり、文書は、3次元空間において画面上で動き回っているように見える。
【００１２】
別の精緻化は、種々のカルーセルが別々の速度で回転することから成る。よって、一回転後、同じ識別子は同じ位置に生起しない。よって、一識別子が別の識別子をマスクする場合、この状態の後の回転の生起は可能でない。別の精緻化は、カルーセルの角速度がこのカルーセルにおける識別子数によって変わってくることから成る。このようにして、カルーセルが含む識別子が少ない場合、このカルーセルの識別子なしで画面が現れる時間は短くなる。
【００１３】
別の精緻化によれば、文書は、関連した文書へのユーザの関心によって各カルーセルにおいてランク付けされる。効果的には、最大の関心値を有する文書の識別子は、外側のカルーセルに存在している。このようにして、画面上で最も近く見える文書は実は、ユーザによって最も関心があると思われる文書である。
【００１４】
別の精緻化によれば、群の文書の数が所定数未満の場合、この群の各文書は少なくとも２つのグラフィカル識別子と関連付けられる。このようにして、画面上のカルーセルを表し、3次元空間において移動の印象を与えるのに十分な数の識別子が常に存在している。別の精緻化によれば、群の文書の数が所定数よりも多い場合、この群の少なくとも２つの文書が、同じグラフィカル識別子と関連付けられる。このようにして、ユーザは、カルーセルにおいて現れる多くの識別子によって圧倒されることなく、識別子の数が限定されることによって、判読可能性が好適になることが可能になる。
【００１５】
別の精緻化によれば、カルーセル内の各グラフィカル識別子の配置の高さは、識別子に関連した文書の属性の値によって変わってくる。このようにして、ユーザ・ナビゲーション・インタフェースには、複数のカルーセルから一カルーセルを選ぶのとは別の、文書をランク付けし、配置させる方法を利用可能なものとして有する。一精緻化によれば、画面上のカーソルの位置は、識別子のスクロールの速度の算出で考慮に入れられるパラメータである。このようにして、文書の選択に意図された機能と同じポインティング機能を用いることによって、ユーザは、スクロールの速度、スクロールの感覚及びスクロールの停止を制御することも可能である。
【００１６】
本発明は、少なくとも１つの文書を表す一連の識別子及びカーソルの表示の手段と、ユーザの動作の入力の手段とを備え、上記手段は、識別子の位置と無関係に、表示の手段に接続された視聴画面上のカーソルの移動を制御することを可能にし、
表示手段は、スクロールの方向を規定する、画面上のカーソルの位置の関数として画面にわたって識別子を自動スクロールし、この識別子上にカーソルが配置された場合に識別子を強調表示し、この識別子に関連した文書はよって、入力手段を利用して起動させることが可能である。
【発明を実施するための最良の形態】
【００１７】
本発明の他の特性及び利点は、添付図面を参照しながら例として表す例示的な実施例に続く説明の範囲内の更なる詳細とともに次に記載する。
【実施例】
【００１８】
まず、本発明の例示的な実施例による、表示装置２を備えたマルチメディア受信器１の構成を説明する。本明細書では復号器を説明するが、他の機器（例えば、視聴覚コンテンツをアクセスすることができ、メニューの作成及び表示の手段を有する、パソコン若しくはPVR（例えば、本願の出願人によって製造され、販売されている型式であるトムソン（THOMSON）  DTH7000））又は何れかの機器）も想定可能であり、本発明に該当する。受信器は、番組メモリ１２にリンクされた中央装置３と、オーディオ/ビデオ・データをリアルタイムで送信することを可能にする高速ディジタル・バス６と通信するインタフェース５とを備える。このネットワークは好ましくは、公衆ネットワークであり、遠隔サーバにアクセスすることを可能にし、最も一般的なネットワークはIPネットワークである。受信器は、復調器４に接続された受信アンテナを介して伝送ネットワークからオーディオ/ビデオ・データを受信することも可能である。受信器は更に、リモコン８から信号を受信する、信号７の赤外線受信器と、視聴覚及びデータベースのコンテンツを記憶するメモリ９と、テレビ画面２に送られる視聴覚信号を生成するオーディオ/ビデオ復号化ロジック１０とを備える。リモコン８は例えば、「ジャイレーション」タイプのリモコンである。これは、空間における移動を信号に変換するようにジャイロスコープを備えている。マット上でコンピュータのマウスを移動させることによって行うように、ユーザは、自分のリモコンを上下左右に移動させることによって、カーソルを画面上で移動させる。これは、「OK」などの少なくとも１つの機能キー（この役割は後に記載する）を備える。メモリ９は効果的には、視聴覚コンテンツを少なくとも数時間記録することを可能にする、数百メガバイトのハード・ディスクである。こうした視聴覚コンテンツは、データベース内の記録タイトル及び/又は１つ若しくは複数の圧縮画像によって識別される。ユーザ・インタフェース内で表示されるのはこうした圧縮画像である。
【００１９】
受信器は、データを画面上に表示する回路１１（多くの場合、OSD回路又は「画面上表示」回路と呼ばれている）も備える。OSD回路１１は、画面メニュー上にピクトグラム（例えば、視聴する局に相当する数字）を表示することが可能であり、本発明によって、ナビゲーション・メニュー（及び特に、1つ又は複数のボタン・バー）を表示することを可能にするテキスト及びグラフィクスの生成器である。OSD回路１１は、中央装置３と、メモリ１２に記録された、ユーザ・ナビゲーション・インタフェースと呼ばれる番組とによって制御される。ユーザ・インタフェースは効果的には、リード・オンリー・メモリに記録された番組モジュールの形態で実施される。これは、例えば、ASICタイプの専門回路の形態でも実施可能である。
【００２０】
ディジタル・バス６及び/又は伝送ネットワークは、マルチメディア・コンテンツと、こうしたコンテンツを記述するデータとを備えるデータを受信器に送信する。こうしたデータは、伝送ネットワークから、又はディジタル・ネットワーク６からのものである。記述データは、アクセス可能マルチメディア・コンテンツの分類エレメント（一般に「属性」と呼ばれる）を備える。記述データは、例えば、MPEG7標準によって規定されるメタデータ（例えば、関連文書を識別するタイトル又は画像）である。こうしたデータは、受信器のメモリ９のデータベース内に記憶され、常に更新される。ユーザ・ナビゲーション・インタフェースはその後、情報をこのデータベースから抽出し、これを処理して、画面上に表示されたナビゲーション・メニューを作成する。
【００２１】
次いで、ユーザ・ナビゲーション・インタフェースがどのようにして動作するかを考察する。
【００２２】
図２は、ユーザ・インタフェースによって生成される画面ショットを示す。各文書は、圧縮画像によって少なくとも識別される。「圧縮画像(imagette)」の語は、少数の画素を備えた小画像を表し、しかし、その精度が低いことによって、主題を識別することが可能になり、文書との関連付けが確保される。圧縮画像が利用可能なものとして存在しない場合、ナビゲータは文書のタイトルをフレーム内に表示する。画面ショットは、圧縮画像、カーソル及びスクロール片を備える。カーソルは図２中で黒色の大きな矢印として表されている。本発明の特に斬新な特性は、カーソルによって、画像の選択及びそのスクロールの制御を同時に行うことが可能になることから成る。カーソルが画面中央にある場合、画像は固定され、カーソルは回転を停止する。カーソルが画面中央の領域からずれた場合、カーソルが左部分にあると画像は左から右にスクロールし、カーソルが右部分にあると画像は右から左にスクロールする。上記中央領域からカーソルが遠くにずれるほど、画像が移動する速度は高くなる。カーソルの制御は、ジャイレーション・リモコンの移動によって確保される。ユーザがこれを右に移動させると、カーソルも右に移動することになる。当然、４つの方向キー（↑、↓、→及び←）を備えた通常のリモコンを用いることによっても、本発明の技術的内容から逸脱しないものである。
【００２３】
本発明の特に斬新な別の特性は、圧縮画像が画面上で、同心円状のいくつかのカルーセル上を移動するように見えて、ユーザ・インタフェースが深さの印象を与えることから成る。図３は、同心円状の３つのカルーセル（最も外側のC１、中央のC2、及び回転の中心に最も近いC3）を示す。図３は、角領域の形態でユーザの視覚のゾーンを示す仮想ビューを表す。ユーザは、一方の意味合いでは３つの別々のプレーンで画像がスクロールするのを見ており、他方の意味合いではバックグラウンド・プレーンで３つのカルーセルの画像がスクロールするのを見ている（分かりやすくするために、バックグラウンド画像は図１に表していない）。効果的には、バックグラウンド・プレーン内の画像の輝度を減衰させて、分離の印象をユーザに与える。こうした、深さの印象は、ユーザ・インタフェースによって生成されるいくつかの技術特性を利用することによって現れる。まず、ユーザに事実上最も近いカルーセルC１の圧縮画像は、C2の圧縮画像及びC3の圧縮画像よりも大きい。次に、C1の圧縮画像は、C2の圧縮画像及びC3の圧縮画像と重なり得る。以下に記載するように、特定の画像（すなわち最大の画像）が他の画像と重なっていることをユーザがすばやく認識し、よって、いくつかのカルーセルが存在していることをそこから推論するように３つのカルーセルのスクロール速度は異なる。最後に、バックグラウンド・プレーン上の圧縮画像は、逆の意味合いでスクロールすることによって、顕著に小さく、かつ、輝度が非常に減衰したように見えて、分離の印象が強くなるものである。
【００２４】
一精緻化によれば、カルーセルが含む識別子が少ない（通常、２０文書未満）場合、ユーザ・インタフェースによって、文書に対する２つの圧縮画像がカルーセルに入れられる。カルーセルが含む文書が１０未満の場合、ユーザ・インタフェースは、文書毎に３つの圧縮画像を表示する。これによって、カルーセルの3次元の局面が維持され、圧縮画像数が少ないことによる穴が避けられる。ユーザはその場合、カルーセル内の同じ圧縮画像に2回、又は3回以上再直面することになる。一変形として、文書が、いくつかの別々の圧縮画像によって識別される。ビデオの場合、画像がビデオから抽出される。オーディオ文書の場合、これは、その文書のタイトルを含む画像、及び歌手を表す画像であり得る。逆に、カルーセル毎の文書数が非常に大きい場合、ユーザ・インタフェースはいくつかの文書を同じ圧縮画像に併せてグループ化する。例えば、テレビ放映されるシリーズ又はニュース放送は画像によって容易に識別することが可能である。任意的には、エピソード番号、又は種々のニュース放送の日時を示すテキスト、さもなければこの識別子によって表される文書数がこの画像下で見出される。一変形として、ユーザは、文書のグループ化を行い、これを同じ画像と関連付けて識別することが可能である。
【００２５】
別の精緻化によれば、カルーセルの角速度は異なる。このようにして、C1の画像は、C2又はC3の画像をマスクする場合、すばやくシフトし、ユーザは他の画像を背景として見ることが可能である。例えば、C1の速度がC2の速度の１２０％であり、C3の速度がC2の速度の８０％である。いくつかの識別子の速度は、図１中の矢印によって表し、矢印の長さは速度に比例する。カーソルの位置がカルーセルの全体速度を制御することを想起されたい。各カルーセル値の速度値は、画面の中央とカーソルとを通過する垂直軸を隔てる距離の関数として連続して変動する。
【００２６】
一変形によれば、カルーセルの角速度はカルーセル内に存在している文書数によって変わってくる。例えば、カルーセルが３０個の識別子を含む場合、カルーセルの回転は３秒間続き、カルーセルが２０個の識別子を含む場合、カルーセルの回転は4秒間しか続かない。このようにして、カルーセルが有するエレメントが少ない場合、エレメント間の間隔はあまり長くなく、ユーザは、カルーセルの深さの印象を維持する。画面の中央を通過する垂直軸に近づけるようにカーソルの位置を修正することによってユーザは常に減速させることが可能であるという前提で、上記速度は最高速度である。一精緻化は、カルーセル上に存在する圧縮画像の数が、直径がわずかに低いカルーセルの数よりも大きいという規則を課すことから成る。上記数を調節するために、同じ文書に対する識別子を追加するか、又は、同じ識別子下でのいくつかの文書を併せてグループ化するだけで充分である。このようにして、速度は確かに異なることになる。カルーセル毎の識別子の数が比較的小さいので、視覚効果は特に興味深い。
【００２７】
カーソルが圧縮画像上に配置されると、ユーザが移動させるか、又はそのスクロールが理由で、この識別子が強調表示され、圧縮画像のフレームは厚くなる。この状態は図４によって示す、何れかの他のグラフィカルな特徴（点滅表示、輝度の割り増し、画像の拡大）も考えられる。この時点で、ユーザ・インタフェースは、例えば、記録の名前などの限定的な情報（図には表していない）を小フレーム内に表示することが可能である。この情報は、カルーセルがスクロールし続ける限り、他の圧縮画像の視聴を妨げないように、限定的であり、かつ重なっていなければならない。
【００２８】
識別子がフォーカスを有する場合、ユーザは、リモコンの「OK」キーを押すことによってこれを選択することが可能である。画面ショットはその場合、図５のように見える。ユーザ・インタフェースはナビゲーション・モードを出て、選択文書の考察のモードに入る。カルーセルが停止し、選択文書を含む圧縮画像が拡大され、情報の始点が新たなフレームに追加される。表示可能な情報の例をいくつかあげる。
【００２９】
‐文書名、タイプ
‐俳優及びプロデューサ
‐考えられる動作
○  記録に関する詳細情報を得る
○  メモリ９から消去することによって廃棄する
○  視聴する
○  ロック/アンロックする（パレンタル・コントロール）
○  購入し、遠隔データベースからダウンロードする
ユーザが「OK」キーを2度目に押した場合、圧縮画像及び関連した文書はもう選択されず、カルーセルは再起動し、画面は図４のショットを再開する。
【００３０】
３つのカルーセル内の圧縮画像の位置及びサイズは、特定数の基準によってユーザ・インタフェースによって判定される。好ましい例示的な実施例によれば、最も関心が高い文書を最も外側のカルーセルC1上で提示し、最も関心が低い文書を最も内側のカルーセルC3上で提示する。このようにして、ユーザによって最も選ばれそうな好ましい文書は、カルーセルC１上の更に前面に提示され、最大の圧縮画像は、他の２つのカルーセルC２及びC3のものよりもアクセス可能である。文書に対するユーザの関心は、この文書に関する属性とユーザが好む話題とを関係付けることによって算出される指数を利用して測定するか、又は、ユーザが手作業で入力することが可能である。例えば、文書がお気に入りリストに属することは、カルーセルC1上で描写するための条件である。
【００３１】
ユーザ・インタフェースがアクセス可能な文書の数が大きくなり過ぎると、一精緻化では、削減された表示対象文書リストのみを維持するようにフィルタリングを行うことが考えられる。このフィルタリングは、特定の基準に準拠する文書のみを維持することによって行うことが可能である。好ましくは、ナビゲーション・インタフェースは３つの判定属性値を有する文書を選択し、３つのカルーセルの１つにこれらの値を入れる。例えば、ユーザの好ましい話題が順に、フィルム、ドキュメンタリ、ニュース放送であるものとする。よって、文書はこの基準の関数としてカルーセルの一方又は他方に入れられる。フィルムの識別子はカルーセルC1上にあり、ドキュメンタリの識別子はC2上にあり、テレビ放映されるニュース放送の識別子はC3上にある。
【００３２】
別の精緻化によれば、識別子はカルーセル上で任意に入れられず、その水平位置及び垂直位置は、ユーザ・インタフェースによって行われる算出から生じる。算出は、属性値に基づいて行われる。
【００３３】
識別子を配置するための第１の方法は、カルーセルを３つの領域（各領域は円形状の片を構成する）に垂直に分割することから成る。例えば、一方又は他方の領域をランク付けすることは、各文書の話題の関数として行う。ユーザ・インタフェースは、スポーツに関連した文書の識別子を上部バナー（図２の上部にある）に提示し、中央のバナーはフィルムの識別子を提示し、下部位置のバナーはテレビ放映されたニュース放送の識別子を含む。３つの話題の何れにも準拠しない他の文書は全て、このカルーセルに表されない。ユーザ・インタフェースは、所定の話題に各領域及び/各カルーセルをユーザが割り当てるのを可能にする割り当て及びプログラミングのキーを備える。第２の方法は、水平マーカを各カル―セルに割り当てることから成る。ユーザ・インタフェースが実行されると、カルーセルの第１のビュー・ウィンドウは円形状のマーカの起点にあり、カルーセル視野角は「0」である。更に、カルーセルが回転し、視野角は「0」から３６０°に至る。ナビゲーション・インタフェースは、１つ又は複数の基準の関数として各文書に角度値を割り当てる。
【００３４】
好ましい実施例によれば、こうした基準は視聴に関する。優先度の順番に３つの基準がある。
【００３５】
‐レンタル・フィルム（最高優先度）                                  群A
‐一部のみが視聴される文書                                          群B
‐一部でも、いまだ視聴されていない文書                              群C
‐完全に視聴される文書                                              群D
このランク付けは、カルーセルの生起の瞬間に、レンタル・フィルム及びすばやく返却しなければならないものに関する識別子がまず視聴されることになる（角度0）。その後、カルーセルを回転させることによって、ユーザは、部分的にのみ視聴される（約９０°の角度）の識別子を見ることになり、よって、視聴を終了するように選択することができることになる。最後に、ユーザは、まだ視聴されていない（約１８０°の角度）の文書、次いで、完全に視聴された文書、及び、最後に、既に完全に視聴しており、（約２７０°の角度）、よって関心度が最も低い文書を見ることになる。
【００３６】
よって、カルーセル編成によって、識別子を２つの方法（このカルーセルにおける、又はそのカルーセルにおける存在、及びカルーセル内の垂直配置）で配置することが可能になる。ユーザ・インタフェースはこれらの配置基準を、各文書を特徴付ける選択基準と関連付けることによって用いる。こうした選択基準は、例えば、文書と関連したメタデータを用いる。
【００３７】
‐得られるデータ
‐得られるタイプ：記録、レンタル、購入、複製、...、レンタル
‐部分視聴（視聴を終了していない）の最新日＋
‐最近の、完全視聴の最新日
‐手作業によるスコア（iTunesやWMPなどのスターのようなレーティング）
‐自動スコア
‐ユーザ選好の関数としての話題（フィルム、ニュース、シリーズ、スポーツ、...）
‐ユーザの選好
文書を識別する圧縮画像を作成するいくつかの方法が存在する。最も一般的であるのは、対象文書を表す画像又は画像部分をビデオ文書から抽出することである。別の方法は、文書の作成者が圧縮画像を作成してその識別子を作成するプロデューサから成る。例えば、フィルムの表示は、カルーセルにおけるその識別子である。圧縮画像はその後、圧縮形式で、文書に関連したデータに組み入れられる。別の方法は、圧縮画像と文書との関係付けをユーザ自体が行うことから成る。例えば、オーディオ文書が歌手の写真と関連付けられる。
【００３８】
本発明は、例証した具体的な実施例を参照して説明したが、こうした実施例によって何ら限定されない一方、特許請求の範囲によってのみ限定される。当業者は変更又は修正を上記実施例に対して、それによって本発明の範囲を超えることなく行うことができる。
【図面の簡単な説明】
【００３９】
【図１】本発明の例示的な実施例を実施するマルチメディア受信器の構成図である。
【図２】文書をたどるためのユーザ・インタフェースによって表示される画面ショットの例を表す図である。
【図３】本発明の例示的な実施例によってユーザが画面上で３つのカルーセルを見ている場合の視覚ゾーンを示す図である。
【図４】識別子が強調表示された場合の、ユーザ・インタフェースによって表示される画面ショットの例を表す図である。
【図５】文書の識別子の選択後に、ユーザ・インタフェースによって表示される画面ショットの例を表す図である。
【符号の説明】
【００４０】
１  電子機器
２  画面
３  中央装置
４  復調器/チューナ
５  ディジタル・ネットワーク・インタフェース
６  ディジタル・ネットワーク
７  遠隔制御インタフェース
８  リモコン
９  データ・メモリ
１０  オーディオ/ビデオ・インタフェース
１１  OSD回路
１２  番組メモリ・ナビゲータ
【図１】
0005189748.tif 000002
【図２】
0005189748.tif 000003
【図３】
0005189748.tif 000004
【図４】
0005189748.tif 000005
【図５】
0005189748.tif 000006